(57)【要約】      （修正有）【課題】緊急９１１番コールを発信する１以上の無線装置を一意的に識別する。【解決手段】緊急コールを発信する少なくとも１つの無線装置に通信する方法が提供される。方法は、緊急「９１１」コールを発信した無線装置に関連する緊急サービスルーティング数列及び／又は緊急サービスルーティング鍵に相当する番号列からなる１以上のルーティングタグを受信する。この受信により、緊急コールセンターが緊急「９１１」コールを発信した無線装置をコールバックできるようにするためのダイヤル可能な番号である一意的識別子が生成される。緊急コールバックは緊急コールセンターによって一意的識別子を用いて起動され、緊急「９１１」コールを発信した無線装置を呼び返すことができる。【選択図】  図１
2006014339.tif 000002
【特許請求の範囲】
【請求項１】
緊急コールを発信する少なくとも１つの無線装置と通信する方法であって、
該少なくとも１つの無線装置に関連する少なくとも１つのルーティングタグを受信するステップ、及び
該少なくとも１つのルーティングタグを受信するステップに応答して、該少なくとも１つの無線装置を一意的に識別するために少なくとも１つの一意的識別子を送信するステップ
からなる方法。
【請求項２】
請求項１記載の方法であって、
該少なくとも１つの一意的識別子を少なくとも１つのアクセス可能なデータベースに記憶するステップ、及び
該記憶された少なくとも１つの一意的識別子を用いて緊急コールバックを起動するステップ
からなる方法。
【請求項３】
緊急コールを発信する少なくとも１つの無線装置に通信する方法であって、
該少なくとも１つの無線装置に関連する少なくとも１つのルーティングタグを送信するステップ、及び
該少なくとも１つのルーティングタグを送信するステップに応答して、該少なくとも１つの無線装置を一意的に識別するために少なくとも１つの一意的識別子を受信するステップ
からなる方法。
【請求項４】
請求項３記載の方法であって、
トラフィックチャネルを形成するステップ、及び
該受信された少なくとも１つの一意的識別子を該トラフィックチャネル上で用いて、起動された緊急コールバックを受信するステップ
からなる方法。
【請求項５】
請求項３記載の方法であって、
該少なくとも１つのルーティングタグを用いて、該少なくとも１つの一意的識別子を記憶させるデータベースにアクセスするステップ
からなる方法。
【請求項６】
請求項１又は請求項３記載の方法において、該少なくとも１つのルーティングタグは、緊急サービスルーティング数列及び緊急サービスルーティング鍵の少なくとも１つに相応する番号列からなることを特徴とする方法。
【請求項７】
請求項６記載の方法において、該緊急サービスルーティング数列は該緊急コールが発信される移動体交換センターのセル・セクタに関連する番号列からなり、該緊急サービスルーティング鍵は移動体位置情報センター及び地理的な移動体位置管理センターの少なくとも１つからなることを特徴とする方法。
【請求項８】
請求項１又は請求項３記載の方法において、該一意的識別子は一意的コールバック番号からなり、該一意的コールバック番号は移動体交換センターに関連する番号列からなることを特徴とする方法。
【請求項９】
請求項８記載の方法であって、
該移動体交換センターに関連するローカル公開保安番号に相応する番号列から該少なくとも１つの一意的識別子を生成するステップ
からなる方法。
【請求項１０】
請求項１又は請求項３記載の方法であって、
該緊急コールを発信すると、移動体装置識別番号及び呼び出し識別の少なくとも１つを通信するステップ
からなる方法。
【発明の詳細な説明】
【技術分野】
【０００１】
本発明は電気通信、特に、無線通信に関する。
【背景技術】
【０００２】
北米での緊急サービスコールは「９１１」をダイヤルすることで発信される。世界の他の地域では、例えば、メキシコの「６１１」のように他のダイヤル可能な短縮された数列が用いられている。これらの短縮された数列は、緊急コールを簡略化して簡単に思い出せるようにと意図されたものである。これらの緊急コールは、発呼者が電話上で待たされている間にローカル公共サービス応答地点（ＰＳＡＰ）のコールセンターにルーティングされて緊急応答（例えば、警察、消防、道路補修、及び／又は救急）の開始をできるようにするものである。しかし、緊急事態が完全に報告され又は応答者が出る前に、呼が何らかの理由で切断されたり破棄されたりした場合、ＰＳＡＰコールセンターは発呼者にコールバックしなければならない。
【０００３】
現在、有線ネットワークを介して発信された「９１１」コールの記録は自動ライン識別（ＡＬＩ）又は発呼されたアクセスラインの電話番号を含んでいる。しかし、無線加入者の登録番号（ＤＮ）又は電話番号は物理ライン又は無線装置に関連付けられていない。ローミングしている無線加入者に対する呼は、移動体ＤＮ（ＭＤＮ）とは対照的に移動局識別（ＭＳＩＤ）を経由して無線装置にルーティングされる。従って、無線装置へ緊急コールバックすることには、例えば、地上線装置が直面しないような難題が存在する。
【０００４】
通常、ＭＳＩＤは１０桁の移動体認識番号（ＭＩＮ）又は１５桁の国際移動体加入者識別子（ＩＭＳＩ）のいずれかによって特徴付けられている。ＩＭＳＩは、無線装置ユーザーがサービス契約で加入するサービスプロバイダーによって、無線装置又は加入者識別モジュール（ＳＩＭ）カードにプログラムされる。従って、ＭＳＩＤは必ずしもダイヤル可能な番号とは限らない。
【０００５】
無線装置のＤＮはダイヤルできる番号である。ＤＮは発呼者によってダイヤルされ、呼を無線加入者のホームシステムにネットワークを介してルーティングするために使用される。加入者のホームシステムにおいて、ホームロケーション登録装置（ＨＬＲ）は加入者のＤＮに関連付けられたＭＳＩＤを含んでいる。そして、ＭＳＩＤは、ＤＮとは対照的に、呼をサービング無線システムにネットワークを介してルーティングして加入者を呼び出すために使用される。加入者のＤＮはサービングシステムにＳＩＭカードから無線装置を介して、又は、加入者プロファイルと呼ばれる個別のデータファイルにおいてホームシステムによってサービングシステムに提供される。
【０００６】
ＤＮ及びＭＳＩＤに対する個別の番号を用いるシステムの導入は、いくつかの無線システムについて比較的最近行われたものである。他は当初からこの技術を用いている。歴史的経緯として、ローカルルーティング番号（ＬＲＮ）方法及び国際ローミング（ＩＲ）に基づく無線番号移植（ＷＮＰ）又は大量ブロック番号蓄積（ＴＢＮＰ）を導入する前は、無線装置の移動体識別番号はいくつかのシステム、特にＴＩＡ／ＥＩＡ−４１規格に準拠するシステム、におけるＤＮと同じであった。しかし、ＷＮＰ及びＴＢＮＰによって、ＭＤＮは１つのサービスプロバイダーから他のサービスプロバイダーに「移植可能」又は「蓄積可能」なものとなった。ＭＳＩＤは移植可能でも蓄積可能でもないので、受け取り側のサービスプロバイダーは新しいＭＳＩＤを移植済み又は蓄積済みＭＤＮとともに加入者に割り当てることになる。
【０００７】
また、国際ローミングもＭＳＩＤとＭＤＮを分離させた。ＭＩＮは北米ナンバリングプランの１０桁のＭＤＮにならって１０桁の番号となっているが、異なる登録番号リングプランを実施する他国では、彼らの加入者ＤＮが国際的に認識されるＭＩＮ形式と同等となることはできない。他の標準ＭＳＩＤはＩＭＳＩである。これはＴＩＡ／ＥＩＡ−４１及びＧＳＭシステムにおいて世界中で用いられている。ＩＭＳＩはＩＴＵ−Ｔ推奨Ｅ．２１２に基づいた１５桁のダイヤルできない番号であり、それゆえ、１０桁のＭＤＮとして動作することはできない。
【０００８】
過去の経緯として、ＭＤＮがＭＩＮと同じであった頃、ＭＩＮはＰＳＡＰコールセンターに配信され、コールバック番号として用いられていた。上述のようにＭＩＮとＭＤＮを分離すれば、個別のコールバック番号としてのＭＤＮを発呼者のＭＳＩＤと同様にＰＳＡＰコールセンターに配信することが必要となってくる。しかし、それにはこの解決策の実施に関連するある問題がある。１つの問題は、サービングシステムは発呼者のＭＤＮを持っていなく、ＭＳＩＤのみがＰＳＡＰコールセンターに呼を示すということである。これに対する或る理由は、規格に従って導入されたＭＳＩＤ−ＭＤＮの分離のやり方に関係する。他の理由は、呼をＰＳＡＰコールセンターに配信するために用いられるネットワークインターフェイスはＤＮとＭＳＩＤ双方の信号を、場合によってはＤＮ全部さえも、送る容量を有していないことである。
【０００９】
古い型のサービングＴＩＡ／ＥＩＡ−４１システムはＷＮＰ、ＴＢＮＰ又はＩＲをサポートしていない。このことは、旧式のサービングシステムはＭＩＮ及びＭＤＮが同じであることを想定しているということである。旧式のシステムは加入者サービスプロファイルにおける分離されたＭＤＮ（例えば、ＭＤＮでなくＭＩＮに施錠されたもの）を探すことさえ知らない。この制限のために、加入者達は基本的なサービスを使用することはできなくても、緊急サービスへの発呼は許可されなくてはならない。結果として、旧式のシステムで「９１１」をダイヤルしてローミングする者は、彼又は彼女の呼がＰＳＡＰコールセンターにＭＳＩＤを用いて、しかし、ＭＤＮではなく配信されるようにすることになる。従って、コールバックはできない。
【００１０】
ＷＮＰ及びＩＲが可能な新しい型のサービングシステムは、ＭＤＮをＰＳＡＰコールセンターに配信することはできない。これは、発呼する無線装置がいずれのサービスプロバイダーに登録されていない場合に起こる（例えば、緊急コールのみに使用される移動体電話機がある）。これらの無線装置は未契約初期設定（ＮＳＩ）電話機と呼ばれる。ＨＬＲがサービングシステムにＤＮを含む加入者サービスプロファイルによって応答し終える前に加入者が緊急コールをかけることもまた可能である。たとえＰＳＡＰコールセンターが有効なＤＮをコールバックのために提供していたとしても、加入者が全ての入着呼についての呼転送サービスを有している場合、又は加入者が制限つきのプリペイドサービスを有していてＰＳＡＰコールセンターからの入着コールバックに対して支払い可能な残高がない場合、ＤＮへのコールバックは存続できない。さらに、コールバック番号が入来の国際的なローミングをする者へ向けられる場合、ＰＳＡＰコールセンターは国際電話呼をかける必要がある。ＰＳＡＰコールセンターによっては国際番号へコールバックする能力がないこともある。また、国際電話呼を完結するにあたり、緊急を適時的に扱うのに有害なネットワーク渋滞又は遅延の危険もある。ＰＳＡＰコールセンターによっては、独立した発呼運用線を介して出発呼をかけるように具備されていないものさえある。
【００１１】
国際的なローミングをする者へのコールバックＤＮは、彼らがいるローカル緊急サービスゾーン（ＥＳＺ）における加入者に到達するようにＰＳＡＰコールセンターが国際電話呼をかけることを要する。しかし、これは、普通は国際電話呼をかけないＰＳＡＰコールセンターにとっても、緊急の目的で即座のコールバック情報を要するアプリケーションにとっても、現実的、適時的又は充分に信頼できる解決法ではない。さらに、ＰＳＡＰコールセンターが１０桁しかサポートしていない場合、（国コードを含む１５桁までの）全体の国際ＭＤＮはコールバック用にＰＳＡＰコールセンターには示されない。
【００１２】
発呼側無線装置がどのサービスプロバイダーにも登録されていないこともまたあり得る。結果として、無線装置に関連したＤＮがない、又は無線装置にコード化された永久ＭＳＩＤがないことになる―――そのような無線装置は例えばＮＳＩ移動体電話と呼ばれる。その理由として、（ａ）ＮＳＩ電話機が登録されることを意図していないこと（そのような電話機の例として緊急電話のみに使われるものがある）、（ｂ）電話機が新しく、まだサービスプロバイダーによって初期化されていないこと、（ｃ）加入が期限切れであり、ＮＳＩ電話機はもはやサービスプロバイダーに登録されていないこと、又は（ｄ）ＳＩＭカードが紛失され、盗難され、または単に挿入されていないか若しくは注意・不注意は別として抜き取られたこと、が考えられる。
【００１３】
また、無線装置によっては、取り外し可能なユーザー識別モジュール（Ｒ−ＵＩＭ）又はＭＳＩＤ及びＤＮを含んでいるＳＩＭをサポートするものもある。Ｒ−ＵＩＭ又はＳＩＭが電話機にない場合、それでもその電話機は緊急電話をかけるために使用できる。しかし、ＰＳＡＰコールセンターにコールバック番号として提供するための、電話機又はサービングシステムにとって既知のＤＮもＭＳＩＤもない。
【００１４】
各ＭＳは電話機内に製造業者によってコード化された独自の移動体装置識別番号（ＭＥＩＮ）を含んでいる。ＭＥＩＮは、ＡＮＳＩ／ＴＩＡ／ＥＩＡ−４１システム又はＧＳＭシステムで使用される国際移動体装置識別（ＩＭＥＩ）において使用されているような、例えば、電子シリアル番号（ＥＳＮ）等である。ＭＥＩＮはＭＳＩＤ及びＤＮから独立したものである。ＭＥＩＮは、呼の発信の試行によって又はその直後に無線システムの無線装置と基地局との間を空中でシグナリングされる。例えば、呼の発信試行がされない場合、ＭＥＩＮはサービングシステムから要求される。
【００１５】
無線緊急サービスの現在の規格では、無線加入者に割り当てられた登録番号が入手できない場合、「９１１＋ＭＥＩＮの最後の７桁」をコールバック番号形式としてＰＳＡＰコールセンターに配信することが要求される。これはＰＳＡＰコールセンターに有効なコールバック番号が呼から入手できないことを通知するように作用する一方、「９１１＋ＭＥＩＮの最後の７桁（ＭＥＩＮ７）」の数列は一意的に呼を識別せず（即ち、多くの緊急コールが同じ「９１１＋ＭＥＩＮ７」で識別されてしまう）、そしてネットワークを介してルーティング可能な番号ではない。その理由として、「９１１＋ＭＥＩＮの最後の７桁」は完全なＭＥＩＤを含んでいないので、それゆえ一意的なものとはならないことによる。
【００１６】
上述のアプローチはＰＳＡＰコールセンターに無線装置の緊急コールバックを実行するための何らかの方策を提供するものであるが、まだいくつもの障壁がある。例えば、ある環境での無線装置に対するコールバック番号は、ユーザー位置データを持つダミー番号以上のものではない。結果として、「９１１」コールを発信する各無線装置を一意的に識別するための方法及びシステムアーキテクチャの必要が存在する。さらに、ＰＳＡＰコールセンターが「９１１」コールを発信する無線装置へのコールバックを開始できるようにするために用いる一意的な識別子への要望もある。
【発明の開示】
【課題を解決するための手段】
【００１７】
本発明は、「９１１」コールを発信する１以上の無線装置を一意的に識別するためのものである。特に、本発明は一意的な識別子を用いて「９１１」コールを発信する無線装置のコールバックを可能とするためのものである。本開示の目的において、緊急コールセンター（例えば、ローカル公共サービス応答地点）が「９１１」コールを発信する無線装置へのコールバックを開始できるようにするために、一意的な識別子は一意的なコールバック番号に対応する。この一意的なコールバック番号は、例えば移動体交換センター（ＭＳＣ）のような無線ネットワーク基盤要素に関連したローカル公開保安番号（ＬＰＮ）に対応する番号列から生成される。
【００１８】
本発明の実施形態において、方法は、「９１１」コールを発信する無線装置に関連する１以上のルーティングタグを受信するステップを含む。ルーティングタグは、例えば、緊急サービスルーティング数列（ＥＳＲＤ）及び／又は緊急サービスルーティング鍵（ＥＳＲＫ）に対応する番号列からなる。ルーティングタグに加えて、移動体装置識別番号（ＭＥＩＮ）及び／又は呼び出し識別（ＰＧＩＤ）もまた、例えば、ローカル公共応答地点等の緊急コールセンターと同様にＭＳＣのような無線ネットワーク基盤要素に関連したデータベースによって受信される。この受信ステップに応答して、少なくとも１つの一意的識別子（例えば、一意的なコールバック番号）が生成される。緊急コールセンターが「９１１」コールを発信する無線装置へコールバックできるようにするため、この一意的な識別子はダイヤル可能な番号である。以降、例えば、緊急コールセンターと協働して、一意的な識別子がＭＳＣに返送される。結果として、緊急コールバックが緊急コールセンターによって一意的な識別子を用いて起動されて、一般的にはＭＳＣ、より具体的には「９１１」コールを発信する無線装置へ到達する。これらの及び他の実施形態は、特許請求の範囲及び付随する図面との関係において以下の詳細な説明を読むことで、当業者には明らかなものとなるであろう。
【００１９】
限定されない実施形態の以下の記載を、添付図面を参照して読むことで、本発明はよりよく理解できるであろう。
例示のアプリケーションの図面は寸法通りでなく、単に模擬的に表現するものであり、ここに開示する実験を介して熟練の技術者によって決められる発明の特定の寸法を描くことを意図するものではない。
【発明を実施するための最良の形態】
【００２０】
本発明は、「９１１」コールを発信する１以上の無線装置を一意的に識別するためのものである。特に、本発明は一意的な識別子を用いて「９１１」コールを発する無線装置のコールバックを可能とするためのものである。本開示の目的において、緊急コールセンター（例えば、ローカル公共サービス応答地点）が「９１１」コールを発信する無線装置のコールバックを開始できるようにするために、一意的な識別子は一意的なコールバック番号に対応するものとする。この一意的なコールバック番号は、例えば移動体交換センター（ＭＳＣ）のような無線ネットワーク基盤要素に関連したローカル公開保安番号（ＬＰＮ）に対応する番号列から生成される。
【００２１】
図１を参照して本発明の実施形態が説明される。図１は移動体緊急サービスをサポートするネットワーク参照モデル（ＮＲＭ）のアーキテクチャ１０を示すものである。アーキテクチャ１０は緊急「９１１」コールを発信する無線装置の一意的な識別をサポートし、一意的な識別子を用いて「９１１」コールを発信する無線装置のコールバックを可能とするためのものである。
【００２２】
図１に示すように、緊急「９１１」コールをアーキテクチャ１０に通信するための無線装置２０が示される。本開示の目的において、緊急「９１１」コールは緊急サービス（例えば、警察、消防、道路補修、及び／又は救急）の呼及び／又は要求に相応するものである。通信は、無線装置２０によって発信されると、移動体交換センター４０（ＭＳＣ）へ基地局（図示せず）を介して搬送される。
【００２３】
緊急「９１１」コールがＭＳＣ４０によって受信されると、無線装置２０に関連する識別情報がサービングシステム緊急コール登録装置５０（ＳＳ−ＥＣＲ）に通信される。より具体的には、無線装置２０に関連する情報は、例えば、移動体装置識別番号（ＭＥＩＮ）を含む。ＭＥＩＮのＥＣＲ−ＳＳ５０への転送がＭＳＣ４０によって第１のＮＲＭインターフェイスＥｘを介して実行される。なお、ＭＥＩＮは、ＳＳ−ＥＣＲ５０に転送されると、国際移動体装置識別（ＩＭＥＩ）、電子シリアル番号（ＥＳＮ）、擬似ＥＳＮ（ｐＥＳＮ）及び／又は移動体装置識別（ＭＥＩＤ）によって実現すればよい。
【００２４】
ＭＥＩＮの転送とともに、ＭＳＣ４０はまた、呼び出し識別（ＰＧＩＤ）をＳＳ−ＥＣＲ５０へ通信する。無線装置２０からの緊急「９１１」コールが基地局及びＭＳＣ４０から破棄され又は切断されてしまった場合、ＰＧＩＤは無線装置２０を呼び出すために使用することができる。呼の破棄又は切断の場合に無線装置２０を呼び出すために、ＭＳＣ４０のローカル公開保安番号（ＬＰＮ）が、「９１１」の発呼者（例えば、無線装置２０）に従属する交換機を一意的に識別するために必要になる。ＬＰＮはその土地からダイヤル可能な番号、又はＭＳＣ４０に割り当てられた移植できない番号列によって実現することができる。呼の破棄又は切断が発生してしまった場合に、ＬＰＮはＳＳ−ＥＣＲ５０を識別すること、及び緊急「９１１」コールを発信する無線装置のコールバックを発信することを補助することができる。
【００２５】
ＬＰＮに加えて、緊急サービスルーティング数列（ＥＳＲＤ）又は緊急サービスルーティング鍵（ＥＳＲＫ）もまた緊急「９１１」コールの一意的な識別のために用いることができる。ＥＳＲＤは緊急「９１１」コールを一意的には識別しないが、ＥＳＲＫは緊急「９１１」コールに関連しているので無線装置２０の位置情報の通信をサポートすることができる。一実施形態において、ＥＳＲＫを提供することに関与するネットワーク要素及びインターフェイスは、現存の通信規格を用いて実現することができる。なお、緊急サービスルーティング数列は、一例として、緊急コールを発信する移動体交換センターのセル・セクタに関連する番号列等であり、緊急サービスルーティング鍵は移動体位置情報センター（Mobile Positioning Center：ＭＰＣ）及び／又は地理的な移動体位置管理センター（Geographic Mobile Location Center：ＧＭＬＣ）９０の少なくとも１つに関連する番号列等である。
【００２６】
上記より、ＰＧＩＤは、緊急「９１１」コールが破棄されたり切断されたりした場合に入着呼を配信する無線装置２０の呼び出しをサポートする数ある通信規格に基づく識別子の１つであればよい。ＧＳＭに基づくシステムでは、無線装置２０は無線装置２０によって提供される国際移動局識別（ＩＭＳＩ）、ＩＭＳＩに関連する一時移動局識別（ＴＭＳＩ）及び／又は無線装置２０からのＩＭＥＩを介して呼び出される。ＣＤＭＡ２０００システムにおいて、この呼び出しステップは移動体識別番号（ＭＩＮ）、ＩＭＳＩ、非加入者によって開始される（ＮＳＩ）無線装置からのデフォルトの移動局識別（ｄＭＳＩＤ）、無線装置２０からのＥＳＮ及び／又は無線装置２０内のＭＥＩＤから生成されるｐＥＳＮによって実現することができる。
【００２７】
ＭＳＣ４０から受信される無線装置２０に関連する識別情報があれば、ＳＳ−ＥＣＲ５０はこの情報を、ネットワークインターフェイスＥｙを介して公共サービス応答地点（ＰＡＳＰ）７０に関連する他の緊急コール登録装置（ＥＣＲ）６０へ再発信することができる。結果として、ＭＥＩＮ、ＬＰＮ、ｄＭＳＩＤ、ＥＳＲＫ及び／又は一意的識別子（例えば、一意的コールバック番号、即ち、ＵＣＢＮ）がＳＳ−ＥＣＲ５０からＥＣＲ６０へ再送信される。なお、ＥＣＲ６０はデータベースによって実現されるようにすればよい。しかし、他の関連するデータベースはＥＳＲＫ、ＭＥＩＮ、移動局識別（例えば、ＭＩＮ又はＩＭＳＩ）及び／又は発呼者の登録番号上で施錠されるようにしてもよい。
【００２８】
図示されるインターフェイスＥは、ＭＳＣ４０とＰＳＡＰ７０間のアーキテクチャ１０を介した緊急データ及びサービス要求のシグナリングをサポートする。ＰＳＡＰ７０からの、ＭＳＣ４０を介したコールバックの確立といった呼の取り扱いの指示が、インターフェイスＥｄを介してＰＳＡＰ７０からＥＣＲ６０へ、Ｅｙを介してＳＳ−ＥＣＲ５０へ、そしてインターフェイスＥｘを介してＳＳ−ＥＣＲ５０からＭＳＣ４０へ通信される。ここで、ＰＳＡＰ７０はＥＣＲ６０とインターフェイスＥｄを介して一意的な識別子（例えば、一意的コールバック番号）を鍵として用いて直接通信することができる。代替策として、ＰＳＡＰ７０はＥＣＲ６０と自動ライン識別子（ＡＬＩ）データベース８０を介してインターフェイスＤ及びＥｚ経由でＥＳＲＫ又は一意的な識別子（例えば、一意的コールバック番号）を鍵として用いて間接的に通信するようにしてもよい。
【００２９】
ＳＳ−ＥＣＲ５０及びＥＣＲ６０は単一のエンティティとして実施してもよい。一方、図示するように、ＳＳ−ＥＣＲ５０とＥＣＲ６０を個別の要素として、１つのＳＳ−ＥＣＲが、ＰＳＡＰ７０に関連する多数のＥＣＲを有するインターフェイスに対して１つのＭＳＣ及び１つのＳＳ−ＥＣＲとして作用するという方策をとってもよい。また、ＥＣＲは多くのＰＳＡＰに従属しているが、１つのＰＳＡＰは１つのＥＣＲと接続するだけでよい。さらに、ＰＳＡＰ７０はインターフェイスＥｗ上でＥＣＲネットワーキングを介して多数のＥＣＲにおける情報へのアクセスを有してもよい。
【００３０】
図２の参照により、本発明の他の実施形態を示すフローチャートが説明される。特に、１以上の「９１１」コールを発信する無線装置を一意的に識別するアルゴリズム的方法（１００）が示される。より具体的には、アルゴリズム的方法（１００）によって、「９１１」コールを発信する無線装置の一意的識別子を用いたコールバックが可能となる。これは、緊急「９１１」コールが終了された場合に特に関連する。
【００３１】
図２のアルゴリズム的方法（１００）は、最初にルーティングタグを受信するステップ（ステップ１１０）を含む。ルーティングタグは「９１１」コールを発信する無線装置に関連し、例えば、図１の移動体交換センター４０に送信され、緊急コール登録装置５０に受信される。本開示の目的において、ルーティングタグは、例えば、緊急サービスルーティング数列（ＥＳＲＤ）及び／又は緊急サービスルーティング鍵（ＥＳＲＫ）に相応する番号列からなる。結果として、ルーティングタグは発信システム及び宛先ＰＳＡＰを識別するが、ルーティングタグがＥＳＲＤの場合、ルーティングタグは緊急「９１１」コールを一意的には識別しない、又は発呼がそれ以上継続しなくなったら緊急「９１１」コールを一意的に識別することができない場合もある。なお、実際上、受信ステップもまた、ルーティングタグに従った呼び出し識別子（ＰＧＩＤ）と同様に、移動体装置識別番号（ＭＥＩＮ）を受信することを含むようにしてもよい。また、実際には、ＭＥＩＮ及びＰＧＩＤはルーティングタグの受信に先立って受信される。
【００３２】
ルーティングタグを受信するステップが実行されると、アルゴリズム的方法（１００）は一意的識別子を生成するステップ（ステップ１２０）を含む。ルーティングタグとは異なり、たとえ発呼がそれ以上継続しなくなっても一意的識別子は緊急「９１１」コールを識別する。一実施形態において、一意的識別子は少なくとも１つのサービング移動体交換センターに関連する１０桁の一意的コールバック番号としてもよい。一実施形態では、一意的コールバック番号はサービング移動体交換センターに関連するローカル公開保安番号（ＬＰＮ）に対応する番号列からなる。１つのシナリオとして、一意的コールバック番号はＬＰＮに関連する６桁の固定の数字（例えば、ＮＰＡ＋ＮＸＸ）と４桁の割り当てられていない数字（ＸＸＸ）からなるようにしてもよい。このシナリオでは、４桁の割り当てられていない数字は１００００個の一意的番号列としてこの生成ステップの結果として割り当てられるようにしてもよい。
【００３３】
その後、アルゴリズム的方法（１００）は生成された一意的識別子をデータベースに記憶する（ステップ１３０）。データベースはローカル緊急センターにアクセス可能である。一例として、データベースは図１のＰＳＡＰ７０にアクセス可能な緊急コール登録装置６０によって実現される。
【００３４】
一意的識別子が生成されると、アルゴリズム的方法（１００）はそれを送信する（ステップ１４０）。ここで、一意的識別子（例えば、一意的コールバック番号）が、例えば、図１の緊急コール登録装置５０によって送信され、移動体交換センター４０によって受信される。結果として、たとえ発呼がそれ以上継続しなくても、移動体交換センター４０は緊急「９１１」コールを識別することができる。さらに、ＰＳＡＰ７０のようなローカル緊急センターもまた、たとえ発呼がそれ以上継続しなくても、緊急コール登録装置６０にアクセスすることによって緊急「９１１」コールを識別することができる。
【００３５】
ＰＳＡＰ７０のようなローカル緊急センター及び移動体交換センター４０にアクセス可能な一意的コールバック番号によって、アルゴリズム的方法（１００）はトラフィックチャネルを形成する（ステップ１５０）。このシナリオは無線装置からの発信緊急「９１１」コールがそれ以上継続しなくなってしまった場合、例えば、切断又は終了されてしまった場合に起こる。トラフィックチャネルが形成された後、ローカル緊急センター（ＰＳＡＰ７０）は緊急「９１１」コールが発信された無線装置に一意的識別子（例えば、一意的コールバック番号）を用いてコールバックすることができる。
【００３６】
実施例
移動体緊急サービス（Ｅ９１１Ｍ）は以下の項目が無線及び緊急サービスネットワーク標準プロトコル及びプロシージャに含まれていることを必要とする。：ローカル公開保安番号（ＬＰＮ）、移動体装置識別番号（ＭＥＩＮ）、移動体装置呼び出し識別（ＰＧＩＤ）、一意的コールバック番号（ＵＣＢＮ）、緊急コール登録装置（ＥＣＲ）、及び移動体Ｅ９−１−１ネットワーク。
【００３７】
ローカル公開保安番号（ＬＰＮ）はダイヤル可能な番号であり、ここで、ＮＰＡ−ＮＸＸが一意的に発信ネットワークにおけるＭＳＣを識別する。番号の移植性及び蓄積の複雑さを回避するため、ＬＰＮはＭＳＣのその土地の番号ブロックから取るようにする。
【００３８】
移動体装置識別番号（ＭＥＩＮ）は製造業者によって無線装置にプログラムされた一意的シリアル番号である。ＣＭＲＳ形式の電話機において、ＴＤＭＡ、ＣＤＭＡ又はアナログ電話機では３２ビットの電子シリアル番号（ＥＳＮ）の形式をとり、ＧＳＭ、ＵＭＴＳ又はＰＣＳ１９００形式の電話機では１５桁の国際移動体装置識別（ＩＭＥＩ）の形式をとり、ＣＤＭＡ２０００形式の電話機では５６ビットの移動体装置識別（ＭＥＩＤ）の形式をとることができる。どの電話機もＭＥＩＮを持つが、全ての無線システムがＭＥＩＮを使用して電話機を呼び出すわけではない。しかし、これは、緊急９１１コールを発信するのに用いられる移動体電話がそのＭＥＩＮによってコールバックに呼び出されることができるようにするために、必要に応じて変更することができる。代替策として、呼び出し識別（ＰＧＩＤ）で呼び出されたＥＣＲにおけるデータフィールドを創出して、移動体電話を呼び出すためのサービングシステムによって使用される多数の可能な識別子のうちの１つを記憶するようにしてもよい。
【００３９】
ＰＧＩＤは、緊急「９１１」コールを発信する電話機から入手可能であれば移動体契約識別（ＭＳＩＤ）であってもよい。ＭＳＩＤは１５桁の国際移動体契約識別（ＩＭＳＩ）又は１０桁の移動体識別番号（ＭＩＮ）とすることができる。ＭＳＩＤは、未契約初期設定（ＮＳＩ）電話機が発呼に使用される場合は入手することができない。ＭＳＩＤがサービスプロバイダーによってＮＳＩ電話機にプログラムされたり、加入者識別モジュール（ＳＩＭカード）なしに電話機にプログラムされたりすることはない。ＰＧＩＤは、一時移動局識別（ＴＭＳＩ）、電話機製造業者によって提供され新しい電話機に使用されるオーバー・ジ・エアー・アクティベーション（Over-The-Air activation：ＯＴＡ）のデフォルトのＭＳＩＤ（ｄＭＳＩＤ）、新しい５６ビットのＭＥＩＤ、又はＭＥＩＤから導出される擬似ＥＳＮ（ｐＥＳＮ）であればよい。ＰＧＩＤは、無線電話機がシステムに入るときに自身のために提供する識別情報であればいずれのものであってもよく、コールバックのためにそのシステムによってその電話機を呼び出すためにアクセス可能なものである。
【００４０】
一意的コールバック番号（ＵＣＢＮ）は９１１コールが発信されたときにサービングシステムにおいてダイナミックに割り当てられる。それはＥＣＲ内にデータベースへの鍵として記憶される。ＵＣＢＮは緊急「９１１」コール毎にシグナリングされて緊急「９１１」コールを一意的に識別し、ＰＳＡＰ−ＥＣＲからコールバック情報を取得し、コールバックを発信する。ＵＣＢＮはサービングシステムのＬＰＮからのＮＰＡ−ＮＸＸに基づく一意的な１０桁のダイヤル可能な番号である。最後の４桁はサービングシステムにおいて各呼に対して一意的に割り当てられる。ＵＣＢＮはホームサービスプロバイダーによって発呼する加入者に割り当てられる移動体登録番号（ＭＤＮ）や移動局ＩＳＤＮ番号（ＭＳＩＳＤＮ）ではない。ＵＣＢＮはコールバックに使用される場合、サービングシステムＭＳＣに対して着呼側当事者番号（ＣＰＮ）としてシグナリングされる。ＭＳＣはＵＣＢＮを用いてＳＳ−ＥＣＲからＰＧＩＤを要求する。そして、ＰＧＩＤを用いて電話機を呼び出し、コールバックを完了する。
【００４１】
現存のガイドラインに基づいて、ＥＳＲＤが汎用数列パラメータ（Generic Digits Parameter：ＧＤＰ）又は着呼側当事者番号（ＣｄＰＮ）に埋め込まれている場合、ＵＣＢＮをＭＳＣから発呼側当事者番号（ＣＰＮ）又は課金番号（ＣＨＧＮ）における選択的ルーター及びＰＳＡＰ上へコールバック番号（ＣＢＮ）としてシグナリングすることができる。ＥＳＲＫがＣＰＮ又はＣＨＧＮとして埋め込まれている場合、ＵＣＢＮは他のフィールド又はＧＤＰに埋め込んでもよい。
【００４２】
ＵＣＢＮがＥＳＲＫによってルーティングされた呼でシグナリングされない場合、ＵＣＢＮをＰＳＡＰ−ＥＣＲ又はＡＬＩから取得するために呼がなおも継続する間、ＰＳＡＰはＥＳＲＫを使用することができる。ＡＬＩはＵＣＢＮをＰＳＡＰ−ＥＣＲ又はＭＰＣから取得することができる。ＭＰＣは、ＭＳＣに提供される場合にはＵＣＢＮを持つようにしてもよい。
【００４３】
緊急コール登録装置（ＥＣＲ）は緊急コールの詳細情報及びＭＳＣに対する呼処理命令を保持するデータベースである。ＥＣＲデータベースはＵＣＢＮで施錠され、緊急「９１１」コール用に、サービングシステムのＬＰＮだけでなく、ＭＥＩＮ、ＰＧＩＤ、ＥＳＲＫ又はＥＳＲＤを含んでいる。緊急９１１コールを発信する無線装置がローミングして、あるサービングシステムから他のサービングシステムへとハンドオフ（又はハンドオーバー）されると、ＬＰＮが自動的に更新されるようにしてもよい。
【００４４】
ＥＣＲ登録は異なるやり方でなされるようにしてもよい。登録は９１１コールを発信する発信側ネットワークにおいて、他のＥＣＲからの登録又はマニュアルによる登録のダウンロードによってなされる。ＰＳＡＰに関連するＥＣＲへのＭＥＩＮ及びいずれかのローカルＬＰＮのマニュアル登録によって、たとえ無線装置が緊急９１１コールを発信するのに使用されなくても、ＰＳＡＰがいずれの無線装置にもＭＳＣを介して発呼することができる。ＬＰＮ更新手続きによって、無線装置が実際のサービングシステムに位置した後に、サービングシステムのＬＰＮが自動的にＳＳ−ＥＣＲに登録されるようになる。ＬＰＮは他のＰＳＡＰ−ＥＣＲ及びＳＳ−ＥＣＲにおいても移動体Ｅ−９−１−１ネットワークを介して更新される。
【００４５】
移動体Ｅ９−１−１ネットワークはＥＣＲ間のデータを交換し、他のネットワーク要素における動きをトリガするために用いることもできる。ＥＣＲは、サービングシステム（ＳＳ−ＥＣＲ）、緊急サービスネットワーク（ＰＳＡＰ−ＥＣＲ）及び緊急コールを扱う他のいずれかのコールセンターにおいて、ＭＳＣに配置される。例えば、２次ＰＳＡＰ又はテレマティクス（Telematics）コールセンターにＥＣＲを備えて、９１１コール及び顧客にかけられた他の発信呼を追跡し、顧客からの入着呼を追跡し、又は顧客にサービングシステムを介して遠隔からサービスを要求するようにしてもよい。
【００４６】
ＥＣＲネットワークは緊急コール情報を交換し、個々の電話機を追跡する以外にも使用される。ＥＣＲネットワークは緊急９１１コールをかけるために使用された移動体電話の移動を管理し、ＭＳＣを介してサービスを要求するためにも使用される。メッセージは、ＮＩＳ電話機及び国際ローミングをする装置のシステム間ローミング及び緊急ショートメッセージサービスのためのシステム間動作、テレマティクス・コールセンターへのＭＳＣを介した緊急コール発信、ＭＳＣを介した会議電話呼又はＰＳＡＰからＰＳＡＰへの呼転送、ＬＰＮ更新、緊急コールバックのためのシステム間呼び出し、並びに他のあらゆる可能なサービスをサポートするようにネットワークを介してシグナリングされる。ＰＳＡＰ−ＥＣＲはホームロケーション登録装置（ＨＬＲ）のように動作し、ＳＳ−ＥＣＲはビジターロケーション登録装置（ＶＬＲ）のように動作する。
【００４７】
図３に本発明の実施例による信号の流れ図２００を示す。図３は、無線装置による緊急「９１１」コールの発信における処理を図示する。ここで、緊急「９１１」コールは無線装置によってサービングＭＳＣを介して、ＥＳＲＤ（緊急サービスルーティング数列）又はＥＳＲＫ（緊急サービス鍵）のようなルーティングタグを用いて発信される。緊急「９１１」コールは、例えば、対応するＥＳＲＤ又はＥＳＲＫのようなルーティングタグに基づいて地理的に指定されたＰＳＡＰコールセンターへルーティングすることができる。そして、ＰＳＡＰ及びサービングＭＳＣに結合された緊急コール登録装置（ＥＣＲ）はコールバック情報で更新することができる。その後、一意的識別子が一意的に緊急「９１１」コールを識別するために生成されるようにしてもよい。この一意的識別子はローカル公開保安番号から導出された一意的コールバック番号によって実現することができる。さらに、ルーティングタグ―――対応するＥＳＲＤ又はＥＳＲＫ―――が発信システム及び宛先ＰＳＡＰを識別するようにしてもよい。なお、ＥＳＲＫは呼が継続している限り、呼を一意的に識別するために使用できるが、ＥＳＲＤは呼を一意的に識別しない。
【００４８】
図４に本発明の他の実施例による信号の流れ図３００を示す。図４は、緊急「９１１」コールを発信した無線装置をコールバックする処理が図示される。元の緊急「９１１」コールが終了された後、ＰＳＡＰはローカル公開保安番号から導出された一意的識別子をダイヤルして、緊急「９１１」コールを発信した無線装置に連絡を取ることができる。ここで、ＭＳＣは一意的識別子を用いて関連する呼び出し識別子（ＰＧＩＤ）をサービングシステム緊急コール登録装置（ＤＤ−ＥＣＲ）から取得し、無線装置を呼び出し、そして、無線装置へのコールバックを完了する。代替策として、ＰＳＡＰは一意的識別子又は移動体装置識別番号を用いて、ＭＳＣを介してＰＳＡＰ緊急コール登録装置（ＰＳＡＰ−ＥＣＲ）からコールバックを要求することもできる。
【００４９】
特徴ある発明が解説的な実施例を参照して記載されたが、この記載は限定的な意味合いで解釈されるものではない。本発明が説明されてきたが、特許請求の範囲に記載されるように、発明の精神から離れることなくこの説明を参照すれば、解説的な実施例に対する様々な変更例は発明の追加的な実施例と同様に、通常の当業者にとって明らかであろうことが理解される。結果として、方法、システム及びその部分並びに記載された方法及びシステムの部分は、例えば、無線装置、基地局、基地局コントローラ、及び／又は移動体交換センターのような異なる位置で実現できる。さらに、記載されたシステムを実現し使用するために必要な処理回路は、通常の当業者であれば理解されるであろう特別用途向け集積回路、ソフトウエアによる処理回路、ファームウエア、プログラム可能なロジックデバイス、ハードウエア、ディスクリート部品又は上記の部品を組み合わせて構成したものにおいて、本開示の利益とともに実現される。当業者であれば、ここに図示され記述された代表的な適用例に厳密に従うことなく、そして、本発明の精神と範囲から逸脱することなく、これら及び様々な他の変更例、構成例及び方法が本発明に対してなされることが容易に認識できるであろう。特許請求の範囲は本発明の真の範囲内に含まれるいかなる変更例や実施例をも含むものであることが意図されている。
【図面の簡単な説明】
【００５０】
【図１】図１は本発明の実施形態のアーキテクチャを示す図である。
【図２】図２は本発明の実施形態を示すフローチャートである。
【図３】図３は本発明の代替の実施形態を示す図である。
【図４】図４は本発明の代替の実施形態を示す図である。
【符号の説明】
【００５１】
１０．アーキテクチャ
２０．無線装置
４０．移動体交換センター（ＭＳＣ）
５０．サービングシステム緊急コール登録装置（ＳＳ−ＥＣＲ）
６０．緊急コール登録装置（ＥＣＲ）
７０．公共サービス応答地点（ＰＳＡＰ）
８０．自動ライン識別子（ＡＬＩ）データベース
９０．移動体位置情報センター（ＭＰＣ）及び／又は地理的な移動体位置管理センター（ＧＭＬＣ）
【図１】
2006014339.tif 000003
【図２】
2006014339.tif 000004
【図３】
2006014339.tif 000005
【図４】
2006014339.tif 000006